(57)【要約】      （修正有）【課題】操作面の形状に合わせて検出感度を調整する入力装置およびタッチパネルディスプレイを提供する。【解決手段】入力装置１は、静電センサ１３上に、感度調整層１２と、操作面１１ａを有するパネル１１とを備える。静電センサ１３は、検知面１３ａが平面状に構成される。操作面１１ａは、検知面１３ａと非平行で曲面に構成される。感度調整層１２は、操作面１１ａと検知面１３ａとの間に配置され、操作面１１ａと検知面１３ａとの距離が大きい箇所ほど誘電率が高くなるように調整される。【選択図】図２Ａ
2017091219.tif 000002
【特許請求の範囲】
【請求項１】
検知面が平面状の静電センサと、
前記検知面と非平行な操作面と、
前記操作面と前記検知面との間に配置され、前記操作面と前記検知面との距離が大きい箇所ほど誘電率が高くなるように調整された感度調整層と
を備えることを特徴とする入力装置。
【請求項２】
前記感度調整層は、
所定の前記誘電率を有する第１層と、前記誘電率が前記第１層よりも高い第２層とを含むこと
を特徴とする請求項１に記載の入力装置。
【請求項３】
前記第２層は、
前記操作面と前記検知面との距離が大きい箇所ほど厚みが厚いこと
を特徴とする請求項２に記載の入力装置。
【請求項４】
前記感度調整層は、
前記誘電率を前記検知面に沿う向きについて変化させることで形成された層を含むこと
を特徴とする請求項１、２または３に記載の入力装置。
【請求項５】
前記操作面は、
凸状または凹状の曲面を含むこと
を特徴とする請求項１〜４のいずれか一つに記載の入力装置。
【請求項６】
請求項１〜５のいずれか一つに記載の入力装置と、
前記入力装置における前記静電センサ側に設けられるパネル状の表示装置と
を備えることを特徴とするタッチパネルディスプレイ。
【発明の詳細な説明】
【技術分野】
【０００１】
本発明は、入力装置およびタッチパネルディスプレイに関する。
【背景技術】
【０００２】
静電容量方式のタッチパネルなどの入力装置は、スマートフォンや車載用の電子機器など多岐にわたって利用されている。この種の入力装置は、操作面が凸状の曲面形状であるものが知られている。
【０００３】
かかる入力装置では、ユーザの指が操作面と接触する位置によらず、検出感度を均一に調整するために、静電容量を発生させる電極の面積を操作面の形状に基づいて調整しているものが知られている（たとえば、特許文献１参照）。
【先行技術文献】
【特許文献】
【０００４】
【特許文献１】国際公開第２０１１／１４２３３３号
【発明の概要】
【発明が解決しようとする課題】
【０００５】
しかしながら、上記した従来技術では、電極の面積を大きくするのには限界があり、検出感度を調整する点で、更なる改善の余地があった。
【０００６】
本発明は、上記に鑑みてなされたものであって、操作面の形状に合わせて検出感度を調整することができる入力装置およびタッチパネルディスプレイを提供することを目的とする。
【課題を解決するための手段】
【０００７】
上述した課題を解決し、目的を達成するために、本実施形態に係る入力装置は、静電センサと、操作面と、感度調整層とを備える。静電センサは、検知面が平面状に構成される。操作面は、検知面と非平行に構成される。感度調整層は、操作面と検知面との間に配置され、操作面と検知面との距離が大きい箇所ほど誘電率が高くなるように調整される。
【発明の効果】
【０００８】
実施形態の一態様によれば、操作面の形状に合わせて検出感度を調整することができる。
【図面の簡単な説明】
【０００９】
【図１】図１は、本実施形態に係る入力装置の適用例を示す図である。
【図２Ａ】図２Ａは、本実施形態に係る入力装置の概要を示す断面模式図である。
【図２Ｂ】図２Ｂは、感度調整層の誘電率を示す図である。
【図３】図３は、誘電率の異なる材料を積層した感度調整層を示す断面模式図である。
【図４】図４は、誘電率の分布が不均一な材料を用いた感度調整層を示す断面模式図である。
【図５Ａ】図５Ａは、第１の変形例に係る入力装置の断面模式図である。
【図５Ｂ】図５Ｂは、第１の変形例に係る感度調整層の誘電率を示す図である。
【図６Ａ】図６Ａは、第２の変形例に係る入力装置の断面模式図である。
【図６Ｂ】図６Ｂは、第２の変形例に係る感度調整層の誘電率を示す図である。
【図７Ａ】図７Ａは、第３の変形例に係る入力装置の断面模式図である。
【図７Ｂ】図７Ｂは、第３の変形例に係る感度調整層の誘電率を示す図である。
【発明を実施するための形態】
【００１０】
以下に添付図面を参照して、本発明に係る入力装置およびタッチパネルディスプレイの実施形態を詳細に説明する。なお、本実施形態では、入力装置が車載用のナビゲーション装置に接続される場合の例について説明するが、入力装置は、スマートフォンやタブレット端末などの電子機器の入力装置にも適用可能である。また、以下に示す実施形態により、この発明が限定されるものではない。
【００１１】
まず、本実施形態に係る入力装置の適用例について、図１を用いて説明する。図１は、本実施形態に係る入力装置の適用例を示す図である。本実施形態に係る入力装置１は、たとえば静電容量方式のタッチパネルなどで構成され、ユーザの指などが入力装置１の操作面に接触することでユーザの入力操作を検知する。
【００１２】
また、図１に示すように、入力装置１は、たとえば、車両１００に搭載され、かかる車両１００のインストルメントパネル１０１（以下、インパネ１０１と記載する）に固定される。そして、入力装置１は、車両１００に搭載されたナビゲーション装置（図示せず）などと接続され、かかるナビゲーション装置の入力装置として機能する。
【００１３】
ここで、一般的な静電容量方式の入力装置について説明する。かかる入力装置は、操作面と、静電センサとを備える。かかる静電センサの表面には、たとえば、複数の透明電極が配置されている。ユーザの指が操作面に近づくと、静電センサの透明電極とユーザの指との間に静電容量が生じる。
【００１４】
静電センサは、複数の透明電極の中で静電容量が最も変化した透明電極を検知することで、ユーザの指が操作面に接触した位置（以下、接触位置と記載する）を検出する。この場合に、ユーザの指と静電センサとの間には、距離に応じて変化する静電容量が生じることが知られている。
【００１５】
ところで、たとえば、車両１００のインパネ１０１の形状が曲面であった場合に、デザイン性の観点から、入力装置１の表面（すなわち、操作面）の形状もインパネ１０１の形状に沿った曲面であることが望まれる。
【００１６】
この場合に、静電センサが平面状であるにもかかわらず操作面を曲面にすると、操作面と静電センサとが非平行に構成されるので、操作面と静電センサとの距離が接触位置によって異なることになる。
【００１７】
上記したように、静電容量は、ユーザの指と静電センサとの距離に応じて変化することから、ユーザの指と静電センサとの間に生じる静電容量は接触位置によって異なることになる。したがって、静電センサが検出する静電容量は、接触位置によって異なるために、一般的な入力装置では、接触位置によって検出感度にバラつきが生じてしまうおそれがある。
【００１８】
具体的には、操作面と静電センサとの距離が大きい箇所では、ユーザの指が操作面と接触しても、たとえば、静電容量が僅かしか生じない。したがって、静電センサは、かかる静電容量を検出することができず、接触位置を検出することができない。
【００１９】
一方、操作面と静電センサとの距離が小さい箇所では、たとえば、ユーザの指が操作面と接触しなくても、ユーザの指が近づくだけで静電容量が生じてしまう。したがって、静電センサが、かかる静電容量を検出してしまうことで入力装置の誤操作に繋がる。
【００２０】
そこで、本実施形態に係る入力装置１では、検知感度を調整するために、操作面と静電センサとの間に感度調整層を配置し、接触位置によらず検知感度を均一化することとした。以下、図２Ａおよび図２Ｂを用いて、本実施形態に係る入力装置１の概要について説明する。
【００２１】
図２Ａは、本実施形態に係る入力装置１の概要を示す断面模式図である。図２Ｂは、感度調整層１２の誘電率を示す図である。また、以下の説明では、位置関係を明確にするために、互いに直交するＸ軸、Ｙ軸を規定する。なお、図２Ｂの横軸は、図２Ａに示すＸ軸と対応しているものとする。
【００２２】
図２Ａは、図１に示す入力装置１をＡ−Ａ’線で断面視した図に相当する。したがって、図中に示すＸ軸は、たとえば、インパネ１０１の左右方向に相当する。図２Ａに示すように、入力装置１は、Ｙ軸正方向側から、パネル１１と、感度調整層１２と、静電センサ１３とを備える。したがって、図中に示すＹ軸は、入力装置１が備える主な構成層の厚み方向に相当する。なお、図２Ａでは、入力装置１の上記した構成に加え、さらに緩衝部材２１と、表示装置２２とを備えるタッチパネルディスプレイ２を示している。
【００２３】
パネル１１は、たとえば、表面形状が凸型の曲面に成形された強化ガラスなどで構成される。ここで、パネル１１のＹ軸正方向側の表面が操作面１１ａとなる。
【００２４】
感度調整層１２は、パネル１１と静電センサ１３との間に配置され、たとえば、操作面１１ａと検知面１３ａとの距離が大きい箇所ほど誘電率が高くなるように調整される。これは、操作面１１ａにおける接触位置によらず、ユーザの指と静電センサ１３との間に生じる静電容量を均一にするためである。
【００２５】
上記したように、静電容量は、ユーザの指と検知面１３ａとの距離に応じて変化する。具体的には、ユーザの指と検知面１３ａとの距離が大きいほど小さくなることが知られている。また、静電容量は、ユーザの指と検知面１３ａとの間の誘電率に応じて変化する。具体的には、ユーザの指と検知面１３ａとの間の誘電率が高いほど大きくなることが知られている。
【００２６】
そこで、本実施形態に係る入力装置１では、上記した距離に関わらず静電容量が均一となるように感度調整層１２の誘電率を調整することとした。つまり、上記した距離が大きいほど感度調整層１２の誘電率を高くすることで、上記した距離に関わらず静電容量が均一となるようにした。なお、仮に、静電容量が上記した距離に反比例するとするならば、感度調整層１２の誘電率をかかる距離に比例させることとすればよい。
【００２７】
たとえば、図２Ａに示すように、接触位置Ｐ１およびＰ２を比較すると、接触位置Ｐ１における操作面１１ａと検知面１３ａとの距離ｄ１は、接触位置Ｐ２における距離ｄ２よりも大きい。このため、図２Ｂに示すように、感度調整層１２の接触位置Ｐ１における誘電率は、接触位置Ｐ２における感度調整層１２の誘電率よりも高くなるよう調整される。
【００２８】
このように、感度調整層１２は、操作面１１ａと検知面１３ａとの距離が大きいほど誘電率が高くなるように調整される。これにより、接触位置によらず操作面１１ａにおける検知感度を均一化することができる。
【００２９】
静電センサ１３は、操作面１１ａにユーザの指が近づくと、静電センサ１３とユーザの指との間に静電容量を発生させ、かかる静電容量が変化した位置から接触位置（図２Ａに示すＰ１、Ｐ２など）を検出する。
【００３０】
たとえば、静電センサ１３は、ポリエチレンテレフタレートなどの平面状の基板で形成され、かかる基板のＹ軸正方向の表面にインジウム錫酸化物等の透明電極がスパッタ蒸着などにより成膜される。かかる透明電極が静電容量の変化を検知する検知面１３ａとなる。
【００３１】
このように、静電センサ１３の基板は、平面状に形成されることから、静電容量を検知する検知面１３ａも平面状となる。また、静電センサ１３の静電容量の検知感度は、Ｘ軸に沿った向きについて均一となるように構成される。これは、静電センサ１３を、検知感度の精度を保ちつつ安価に製造するためである。
【００３２】
静電センサ１３は、検知面１３ａで静電容量の変化を検出すると、かかる検出結果を、たとえば、図示しないケーブルを介してナビゲーション装置へ出力する。そして、ナビゲーション装置では、検出結果に対応した処理を実行することになる。
【００３３】
緩衝部材２１は、静電センサ１３と表示装置２２との間の端部に配置され、ユーザが操作面１１ａを強く操作した場合などに、パネル１１を介して伝わる衝撃を緩衝する緩衝材の役割を果たす。緩衝部材２１は、たとえば、ゴムやシリコンなどで構成される。なお、この緩衝部材２１を省略することとしてもよい。
【００３４】
表示装置２２は、たとえば、ＴＦＴ（Thin  Film  Transistor）液晶や有機ＥＬ（Electroluminescence）液晶などであり、たとえば、図示しないケーブルを介してナビゲーション装置の出力結果である地図画像などを表示する。ここで、ユーザは、表示装置２２に表示された画像を上記したパネル１１、感度調整層１２および静電センサ１３を介して視認することになる。したがって、上記したパネル１１、感度調整層１２および静電センサ１３の部材は、透過性の部材で構成することが好ましい。
【００３５】
このように、本実施形態に係る入力装置１は、感度調整層１２を操作面１１ａと検知面１３ａとの間に配置し、感度調整層１２は、操作面１１ａと検知面１３ａとの距離が大きい箇所ほど誘電率が高くなるように調整される。これにより、操作面１１ａの形状に合わせて検知感度を均一に調整することができる。
【００３６】
また、本実施形態に係る入力装置１は、一般的な入力装置の構成に加え、パネル１１と静電センサ１３との間に感度調整層１２を追加すればよいので、容易に製造することもできる。
【００３７】
なお、図２Ａでは、入力装置１を備えるタッチパネルディスプレイ２を例示したが、入力装置１は、タッチパッドなどのような単独の入力デバイスとして用いることもできる。すなわち、図２Ａに示した緩衝部材２１および表示装置２２については省略することとしてもよい。
【００３８】
なお、図２Ａでは、入力装置１の断面をＸ軸に沿う向きについて説明したが、図２Ａに示すＸ軸およびＹ軸に対して垂直な方向（図中における奥行き方向。以下、便宜上「Ｚ軸方向」という。図１に示すインパネ１０１の上下方向に相当。）の入力装置１の断面については、平凸型や矩形など多様な形状とすることができる。
【００３９】
たとえば、Ｚ軸方向の入力装置１の断面が平凸型である場合は、入力装置１は略半球型となり、操作面１１ａは三次曲面（互いに異なる２以上の方向に関して曲がった曲面）となる。また、Ｚ軸方向の入力装置１の断面が矩形となる場合は、入力装置１は平凸型となり、操作面１１ａは二次曲面（一つの方向のみに関して曲がった曲面）となる。Ｚ軸方向に関して操作面１１ａが曲面となる場合は、Ｘ軸方向と同様の手法で、Ｚ軸方向に関しても操作面１１ａにおける検知感度を均一化することが望ましい。
【００４０】
以下では、図２Ａに示した感度調整層１２について、さらに詳細に説明する。たとえば、感度調整層１２は、誘電率の異なる材料を積層した部材としてもよいし、誘電率を同図のＸ軸に沿って変化させた部材としてもよい。また、感度調整層１２に双方の部材を含めることとしてもよい。
【００４１】
まず、感度調整層１２を誘電率の異なる材料を積層した部材とする場合について、図３を用いて説明する。図３は、誘電率の異なる材料を積層した感度調整層１２Ａを示す断面模式図である。
【００４２】
なお、図３では、入力装置１の操作面１１ａの形状が図２Ａに示した場合と同様の凸型の曲面であり、感度調整層１２Ａの誘電率が図２Ｂに示す誘電率となるように調整される場合について説明する。また、以下の説明では、既に説明した部分と同様の部分については、既に説明した部分と同一符号を付し、重複する説明は省略する。
【００４３】
図３に示すように、感度調整層１２Ａは、互いに誘電率の異なる２つの層から構成される。具体的には、感度調整層１２Ａは、所定の誘電率を有する第１層１２ａと、誘電率が第１層１２ａよりも大きい第２層１２ｂとを含む。
【００４４】
ここで、第１層１２ａは、たとえば、操作面１１ａと検知面１３ａとの距離が大きい箇所ほど厚みが薄くなるように成形される一方、操作面１１ａと検知面１３ａとの距離が小さい箇所ほど厚みが厚くなるように成形される。
【００４５】
また、第２層１２ｂは、操作面１１ａと検知面１３ａとの距離が大きい箇所ほど厚みが厚くなるように成形される一方、操作面１１ａと検知面１３ａとの距離が小さい箇所ほど厚みが薄くなるように成形される。
【００４６】
図２Ａの例では、操作面１１ａの形状が凸型の曲面形状であるので、中央に近いほど操作面１１ａと検知面１３ａとの距離は大きく、端部に近いほど操作面１１ａと検知面１３ａとの距離は小さくなる。したがって、図３に示すように、第１層１２ａは、平凹状であって、第２層１２ｂは、平凸状の形状となる。
【００４７】
このように、感度調整層１２Ａは、誘電率の互いに異なる第１層１２ａおよび第２層１２ｂのそれぞれの厚みが操作面１１ａと検知面１３ａとの距離に基づいて調整される。また、操作面１１ａと静電センサ１３の検知面１３ａとの距離が大きい箇所ほど誘電率が高くなるように調整される。
【００４８】
これにより、感度調整層１２Ａの誘電率を、図２Ｂに示す誘電率とすることができる。したがって、ユーザの指が操作面１１ａと接触した場合に生じる静電容量は、接触位置によらず等しくなるので、入力装置１の検知感度を均一に調整することができる。
【００４９】
なお、感度調整層１２Ａとして、たとえば、エポキシ樹脂、ガラス、ポリエチレンテレフタレート樹脂、アクリル樹脂などの誘電体を用いることができる。なお、上記した誘電体の空気に対する比誘電率は、エポキシ樹脂が「６」、ガラスが「５」、ポリエチレンテレフタレート樹脂が「４」、アクリル樹脂が「２」である。
【００５０】
そこで、感度調整層１２Ａの組み合わせの一例として、第１層１２ａに比誘電率４であるポリエチレンテレフタレート樹脂を用いる場合に、第２層１２ｂには、比誘電率６であるエポキシ樹脂を用いることができる。
【００５１】
つまり、感度調整層１２Ａは、第１層１２ａが第２層１２ｂよりも誘電率が低ければ、上記した組み合わせ以外にも任意の組み合わせとすることができる。なお、感度調整層１２Ａに、水などの液体や空気などの気体を用いることとしてもよい。
【００５２】
また、感度調整層１２Ａの各層の形状も上述した例に限られない。たとえば、第１層１２ａおよび第２層１２ｂに用いるそれぞれの誘電体の誘電率に基づいて、計算や実験等によって最適な形状を決定することができる。
【００５３】
また、図３では、第１層１２ａが第２層１２ｂよりもＹ軸正方向側に形成される場合について説明したが、第２層１２ｂが第１層１２ａよりもＹ軸正方向側に形成されることとしてもよい。すなわち、たとえば、図３に示した感度調整層１２Ａの構成をＸ軸に対して線対称に反転させた構成としてもよい。また、感度調整層１２Ａが２層から構成される場合について例示したが、感度調整層１２Ａは、３層以上で構成されてもよい。
【００５４】
ところで、上述したように、感度調整層１２としては、誘電率を図２Ａに示したＸ軸に沿って変化させた部材を用いることもできる。
【００５５】
以下では、感度調整層１２として、図２Ａに示したＸ軸に沿って変化させた部材を用いる場合について、図４を用いて説明する。図４は、誘電率の分布が不均一な材料を用いた感度調整層１２Ｂを示す断面模式図である。
【００５６】
図４に示すように、感度調整層１２Ｂとしては、同図のＸ軸に沿った向きについて誘電率が変化する傾斜機能材料を用いることができる。ここで、感度調整層１２Ｂは、中央に近い箇所ほど誘電率が高く、端部に近いほど誘電率が低い、図２Ｂに示した誘電率の分布を有する。
【００５７】
かかる傾斜機能材料の製造方法としては、たとえば、以下に示すものがある。たとえば、誘電率の異なる２種類の粒子を用い、２種類の粒子のうち誘電率の高い粒子（以下、高誘電率粒子と記載する）と誘電率の低い粒子（以下、低誘電率粒子と記載する）との混合比を同図のＸ軸に沿って変化させる。
【００５８】
具体的には、感度調整層１２Ｂを形成する型の中央に近い箇所ほど、高誘電率粒子の混合比を多くし、低誘電率粒子の混合比が少なくなるように両粒子を配置する。一方で、端部に近いほど、高誘電率粒子の混合比を少なくし、低誘電率粒子の混合比が多くなるように両粒子を配置する。そして、加圧処理や加熱処理を行うことで粒子を溶融させる。これにより、Ｘ軸に沿った向き、すなわち、検出面１３ａ（図２Ａ参照）に沿った向きに誘電率が変化する混合層である感度調整層１２Ｂを得ることができる。
【００５９】
このように、傾斜機能材料を用いた感度調整層１２Ｂによっても、入力装置１の検知感度を接触位置によらず、均一に調整することができる。
【００６０】
なお、感度調整層１２Ｂの材料に用いる粒子として、たとえば、高誘電率粒子にエポキシ樹脂（比誘電率６）、低誘電率粒子にアクリル樹脂（比誘電率２）を用いることができる。
【００６１】
なお、高誘電率粒子が低誘電率粒子よりも誘電率が高い誘電体であれば、上記した組み合わせ以外にも任意の素材の組み合わせにすることができる。また、感度調整層１２Ｂに用いる粒子の混合比は、計算や実験等によって最適な割合を決定することができる。
【００６２】
ここでは、感度調整層１２Ｂが２種類の粒子で構成される例について説明したが、感度調整層１２Ｂは、３種類以上の粒子で構成されることとしてもよい。また、感度調整層１２Ｂの製造方法は、上記した例に限られず、種々の製造方法を適用することとしてもよい。
【００６３】
上述してきたように、本実施形態に係る入力装置１は、静電センサ１３と、操作面１１ａと、感度調整層１２とを備える。静電センサ１３は、検知面１３ａが平面状に構成される。操作面１１ａは、検知面１３ａと非平行に構成される。感度調整層１２は、操作面１１ａと検知面１３ａとの間に配置され、操作面１１ａと検知面１３ａとの距離が大きい箇所ほど誘電率が高くなるように調整される。
【００６４】
したがって、本実施形態に係る入力装置１によれば、操作面１１ａの形状に合わせて検知感度を均一に調整することができる。
【００６５】
ところで、上述してきた実施形態では、操作面１１ａが凸型の曲面形状である入力装置１の場合について説明したが、操作面１１ａの形状は上記の例に限定されない。そこで、以下では、操作面１１ａの形状のバリエーションに応じた入力装置１の変形例について説明する。
【００６６】
［第１の変形例］
まず、図５Ａおよび図５Ｂを参照して、第１の変形例に係る入力装置１について説明する。図５Ａは、第１の変形例に係る入力装置１の断面模式図である。図５Ｂは、第１の変形例に係る感度調整層１２Ａ１の誘電率を示す図である。
【００６７】
図５Ａに示すように、第１の変形例に係る入力装置１は、パネル１１の表面、すなわち操作面１１ａが端部から中央に向かって登り傾斜の凸型で構成される。この場合に、操作面１１ａと検知面１３ａとの距離も登り傾斜に沿って変化する。
【００６８】
具体的には、操作面１１ａの中央に近いほど操作面１１ａと検知面１３ａとの距離は大きくなり、操作面１１ａの両端に近いほど、操作面１１ａと検知面１３ａとの距離は小さくなる。
【００６９】
そこで、感度調整層１２Ａ１の第１層１２ａは、たとえば、中央から端部に向かって下り傾斜の凹状に成形される一方、第２層１２ｂは、端部から中央に向かって登り傾斜の凸状に成形される。これにより、感度調整層１２Ａ１を、図５Ｂに示した誘電率に調整することができるので、入力装置１の検知感度を接触位置によらず、均一に調整することができる。
【００７０】
［第２の変形例］
つづいて、図６Ａおよび図６Ｂを参照して、第２の変形例に係る入力装置１について説明する。図６Ａは、第２の変形例に係る入力装置１の断面模式図である。図６Ｂは、第１の変形例に係る感度調整層１２Ａ２の誘電率を示す図である。
【００７１】
図６Ａに示すように、第２の変形例に係る入力装置１の操作面１１ａは、両端から中央に向かう下り傾斜と、かかる傾斜間にＸ軸に沿った平面で構成される。この場合に、操作面１１ａと静電センサ１３の検知面１３ａとの距離は、下り傾斜状の部分では下り傾斜に沿って小さくなり、平面状の部分では等しい。
【００７２】
そこで、感度調整層１２Ａ２の第１層１２ａは、たとえば、台形に成形される一方、第２層１２ｂは、両端から中央に向かう下り傾斜と、かかる下り傾斜間にＸ軸に沿った平面とを有する凹状に成形される。これにより、感度調整層１２Ａ２を、図６Ｂに示した誘電率に調整することができるので、入力装置１の検知感度を接触位置によらず、均一に調整することができる。
【００７３】
［第３の変形例］
つづいて、図７Ａおよび図７Ｂを参照して、第３の変形例に係る入力装置１について説明する。図７Ａは、第３の変形例に係る入力装置１の断面模式図である。図７Ｂは、第３の変形例に係る感度調整層１２Ａ３の誘電率を示す図である。
【００７４】
図７Ａに示すように、第３の変形例に係る入力装置１の操作面１１ａは、凹型の曲面状に形成される。この場合に、操作面１１ａと検知面１３ａとの距離は、中央に近いほど小さく、端部に近いほど大きくなる。
【００７５】
したがって、感度調整層１２Ａ３の第１層１２ａは、たとえば、平凸状に成形される一方、第２層１２ｂは、平凹状に成形される。これにより、感度調整層１２Ａ３を、図７Ｂに示した誘電率に調整することができるので、入力装置１の検知感度を接触位置によらず、均一に調整することができる。
【００７６】
なお、上述してきた入力装置１の操作面１１ａの形状は、いずれも代表的な形状について例示したに過ぎず、操作面１１ａの形状は、上記した形状全体や部分の組み合わせであってもよい。この場合に、感度調整層１２の誘電率は、操作面１１ａと検知面１３ａとの距離に基づいて調整されることになる。
【００７７】
また、上述してきた第１〜３の変形例に係る入力装置１の感度調整層１２に感度調整層１２Ａ１〜１２Ａ３を用いる代わりに、図４に示した感度調整層１２Ｂを用いることとしてもよい。
【００７８】
また、感度調整層１２は、感度調整層１２Ａと感度調整層１２Ｂとを組み合わせることにしてもよい。具体的には、感度調整層１２Ａの第１層１２ａおよび第２層１２ｂのうちいずれか一方を感度調整層１２Ｂとする構成、もしくは、感度調整層１２を第１層１２ａ、第２層１２ｂおよび感度調整層１２Ｂを含む３層以上からなる構成にすることにしてもよい。
【００７９】
さらに、パネル１１が感度調整層１２の機能を担う構成としてもよい。具体的には、たとえば、パネル１１の誘電率を、操作面１１ａと検知面１３ａとの距離に基づいて調整することとすれば、パネル１１によっても、入力装置１の検知感度を調整することができる。
【００８０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８１】
１      入力装置
２      タッチパネルディスプレイ
１１    パネル
１１ａ  操作面
１２、１２Ａ、１２Ｂ  感度調整層
１２ａ  第１層
１２ｂ  第２層
１３    静電センサ
１３ａ  検知面
２１    緩衝部材
２２    表示装置
【図１】
2017091219.tif 000003
【図２Ａ】
2017091219.tif 000004
【図２Ｂ】
2017091219.tif 000005
【図３】
2017091219.tif 000006
【図４】
2017091219.tif 000007
【図５Ａ】
2017091219.tif 000008
【図５Ｂ】
2017091219.tif 000009
【図６Ａ】
2017091219.tif 000010
【図６Ｂ】
2017091219.tif 000011
【図７Ａ】
2017091219.tif 000012
【図７Ｂ】
2017091219.tif 000013